(57)【特許請求の範囲】
【請求項１】
低電力基地局からのユーザ機器(UE)のためのハンドオーバ判断を行う、ネットワークノードによって実行される方法であって、
UEに関連する複数のUE測定値を、第1のノードにおいて取得するステップであって、前記複数のUE測定値が前記UEまたは1つまたは複数のセルのうちの少なくとも1つから取得される、ステップと、
取得した複数のUE測定値が持続時間にわたって一貫した勾配特性を示すかどうかに少なくとも部分的に基づいて前記UEのモビリティ状態を判定するステップであって、前記複数のUE測定値が前記持続時間にわたり一貫した勾配特性を示すとき、高モビリティ状態と判定され、前記複数のUE測定値が前記持続時間にわたり一貫した勾配特性を示さないとき、低モビリティ状態と判定される、ステップと、
判定した前記UEのモビリティ状態に少なくとも部分的に基づいて1つまたは複数のハンドオーバパラメータを調節するステップであって、
前記UEが高モビリティ状態にあると分類されるとき、前記UEのハンドオーバの発生の遅延を低減するようにトリガ時間(TTT)値を小さくすること、および
前記UEが低モビリティ状態にあると分類されるとき、前記UEのハンドオーバの発生を遅延するように前記TTT値を大きくすること
を含む、調節するステップと、
前記1つまたは複数のハンドオーバパラメータに基づいて、前記UEを、前記第1のノードから、別の周波数または別の無線アクセス技術上の、第2のノードのセルにハンドオーバするステップとを含む、方法。
【請求項２】
前記複数のUE測定値が測定レポートメッセージで受信される、請求項1に記載の方法。
【請求項３】
前記複数のUE測定値が1つまたは複数の隣接セルから取得される、請求項1に記載の方法。
【請求項４】
前記1つまたは複数のハンドオーバパラメータが、ヒステリシス値、フィルタ係数、セル個別オフセット値、測定識別値、測定イベント値、イベントについてのオフセットパラメータ、または周波数特有のオフセット値のうちの少なくとも1つを含む、請求項1に記載の方法。
【請求項５】
前記複数のUE測定値の少なくとも1つが無線リンク品質を示し、前記無線リンク品質が、前記UEによって認識されるダウンリンク無線リンク品質である、請求項1に記載の方法。
【請求項６】
前記無線リンク品質が、
受信信号コード電力(RSCP)値、
基準信号受信電力(RSRP)値、
受信信号強度表示(RSSI)値、または
経路損失(PL)値
のうちの少なくとも1つによって示される、請求項5に記載の方法。
【請求項７】
前記複数のUE測定値が、1つまたは複数のノードからのUE履歴情報メッセージ内に含まれる、請求項1に記載の方法。
【請求項８】
前記取得するステップが、そのモビリティ状態を示すメッセージを前記UEから受信するステップをさらに含み、前記判定が、受信したメッセージに基づく、請求項1に記載の方法。
【請求項９】
前記判定が、サービングフェムトノード、ターゲットフェムトノード、ホームノードBゲートウェイ、管理サーバ、またはホームeNodeBゲートウェイのうちの少なくとも1つによって実行される、請求項1に記載の方法。
【請求項１０】
請求項１〜９のいずれか一項の方法に従って低電力基地局からユーザ機器(UE)をハンドオーバするかどうかを判定するためのコンピュータプログラム。
【請求項１１】
低電力基地局からのユーザ機器(UE)のためのハンドオーバ判断を行うためのネットワークノードであって、
UEに関連する複数のUE測定値を、第1のノードにおいて取得するための手段であって、前記複数のUE測定値が前記UEまたは1つまたは複数のセルのうちの少なくとも1つから取得される、手段と、
取得した複数のUE測定値が持続時間にわたって一貫した勾配特性を示すかどうかに少なくとも部分的に基づいて前記UEのモビリティ状態を判定するための手段であって、前記複数のUE測定値が前記持続時間にわたり一貫した勾配特性を示すとき、高モビリティ状態と判定され、前記複数のUE測定値が前記持続時間にわたり一貫した勾配特性を示さないとき、低モビリティ状態と判定される手段と、
判定した前記UEのモビリティ状態に少なくとも部分的に基づいて1つまたは複数のハンドオーバパラメータを調節するための手段であって、
前記UEが高モビリティ状態にあると分類されるとき、前記UEのハンドオーバの発生の遅延を低減するようにトリガ時間(TTT)値を小さくすること、および
前記UEが低モビリティ状態にあると分類されるとき、前記UEのハンドオーバの発生を遅延するように前記TTT値を大きくすること
を含む、手段と、
前記1つまたは複数のハンドオーバパラメータに基づいて、前記UEを、前記第1のノードから、別の周波数または別の無線アクセス技術上の、第2のノードのセルにハンドオーバするための手段と
を備える、ネットワークノード。
【発明の詳細な説明】
【技術分野】
【０００１】
開示される態様は、一般にはデバイス間および/またはデバイス内の通信に関し、詳細には、ユーザ機器(UE)測定支援ハンドオーバ分類のための測定方法およびシステムに関する。
【背景技術】
【０００２】
ワイヤレス通信システムは、たとえば音声、データなどの様々なタイプの通信コンテンツを提供するために広く配置される。典型的なワイヤレス通信システムは、利用可能なシステムリソース(たとえば、帯域幅、送信電力、...)を共有することによって複数のユーザとの通信をサポートすることのできる多元接続システムでよい。そのような多元接続システムの例は、符号分割多元接続(CDMA)システム、時分割多元接続(TDMA)システム、周波数分割多元接続(FDMA)システム、直交周波数分割多元接続(OFDMA)システムなどを含むことができる。さらに、システムは、3GPP(third generation partnership project)、3GPP LTE(long term evolution)、UMB(ultra mobile broadband)、EV-DO(evolution data optimized)などの仕様に準拠することができる。
【０００３】
一般には、ワイヤレス多元接続通信システムは、複数のモバイルデバイスについての通信を同時にサポートすることができる。各モバイルデバイスは、順方向および逆方向リンク上の伝送を介して1つまたは複数の基地局と通信し得る。順方向リンク(またはダウンリンク)とは基地局からモバイルデバイスへの通信リンクを指し、逆方向リンク(またはアップリンク)とはモバイルデバイスから基地局への通信リンクを指す。さらに、モバイルデバイスと基地局との間の通信は、単入力単出力(SISO)システム、多入力単出力(MISO)システム、多入力多出力(MIMO)システムなどを介して確立され得る。さらに、モバイルデバイスは、ピアツーピアワイヤレスネットワーク構成で他のモバイルデバイスと(かつ/または基地局は他の基地局と)通信することができる。
【０００４】
従来型基地局を補足するために、追加の低電力基地局が配置され、より堅牢なワイヤレスカバレッジがモバイルデバイスに提供されてよい。たとえば、低電力基地局(たとえば、集合的にH(e)NBと呼ばれるホームノードBまたはホームeNB、フェムトノード、フェムトセルノード、ピコノード、マイクロノードなどと一般に呼ばれることがある)が、増分容量増大、よりリッチなユーザ体験、および/または室内もしくは他の特定の地理的カバレッジなどのために配置されてよい。いくつかの構成では、そのような低電力基地局が、ブロードバンド接続(たとえば、デジタル加入者線(DSL)ルータ、ケーブルまたは他のモデムなど)を介してインターネットに接続され、インターネットは、モバイルオペレータのネットワークへのバックホールリンクを提供することができる。この点で、低電力基地局はしばしば、現ネットワーク環境を考慮せずに、自宅、オフィスなどに配置される。
【０００５】
低電力基地局が、比較的小さいエリアにわたるサポートを提供することができるとき、モバイルデバイスは、相対的頻度で低電力基地局間でハンドオーバすることができる。たとえば、高速移動中の(たとえば、車両で移動中の)モバイルデバイスは、多くの小さいカバレッジエリアを横切り得る。別の例では、静止している、かつ/または低速移動中のモバイルデバイスが、複数の低電力基地局のカバレッジエリアの縁部に存在し、様々な低電力基地局間でハンドオーバし得る(たとえば、ピンポンハンドオーバ)。そのような環境では、頻繁なハンドオーバの結果、ユーザ体験を低下させ得るパケット損失、音声アーチファクト、遅延が生じ得る。さらに、頻繁なハンドオーバは、過剰なネットワーク側シグナリングを生成し得る。ハンドオーバについてのモバイルデバイスまたはユーザ機器(UE)の誤分類により、サービス問題が生じ得る。たとえば、高速移動中のUEについてのハンドオーバを遅延するようにハンドオーバパラメータを調節した結果、呼断が生じ得る一方、静止している、または低速移動中のピンポン中のUEのための別の周波数または無線アクセス技術上のマクロセルへのハンドオーバをトリガした結果、高ネットワーク容量のために必要とされる、小さいセルまたは低電力基地局へのオフローディングの損失が生じ得る。
【発明の概要】
【発明が解決しようとする課題】
【０００６】
したがって、頻繁なハンドオーバを分類するための改良型の装置および方法が望まれ得る。
【課題を解決するための手段】
【０００７】
1つまたは複数の態様の簡略化した概要を、そのような態様の基本的理解を与えるために以下で提示する。この概要は、すべての企図される態様の包括的な概要ではなく、すべての態様の主な要素または重要な要素を特定するものでも、何らかの態様またはすべての態様の範囲を描写するものでもない。その唯一の目的は、後で提示されるより詳細な説明の前置きとして、1つまたは複数の態様のいくつかの概要を簡略化した形で提示することである。
【０００８】
1つまたは複数の態様およびその対応する開示によれば、様々な態様が、UEハンドオーバ判断を行うことに関して説明される。一実施例では、UEに関連する1つまたは複数のUE測定値を取得し、取得した1つまたは複数のUE測定値に少なくとも部分的に基づいてUEのモビリティ状態を判定し、判定したUEのモビリティ状態に少なくとも部分的に基づいて1つまたは複数のハンドオーバパラメータを調節するようにノードが備えられる。別の実施例では、1つまたは複数のUE測定値を取得し、取得した1つまたは複数のUE測定値に基づいてUEのハンドオーバ状態を判定し、判定したUEのハンドオーバ状態に基づいてハンドオーバ関連処置(action)を実行するようにUEが備えられる。
【０００９】
関連する態様によれば、UEについてのハンドオーバ分類を判定するための方法が提供される。方法は、UEに関連する1つまたは複数のUE測定値を取得するステップを含む。さらに、方法は、取得した1つまたは複数のUE測定値に少なくとも部分的に基づいてUEのモビリティ状態を判定するステップを含むことができる。さらに、方法は、判定したUEのモビリティ状態に少なくとも部分的に基づいて1つまたは複数のハンドオーバパラメータを調節するステップを含み得る。
【００１０】
別の態様は、UEについてのハンドオーバ分類を判定するように動作可能な通信装置に関する。通信装置は、UEに関連する1つまたは複数のUE測定値を取得するための手段を含むことができる。さらに、通信装置は、取得した1つまたは複数のUE測定値に少なくとも部分的に基づいてUEのモビリティ状態を判定するための手段を含むことができる。さらに、通信装置は、判定したUEのモビリティ状態に少なくとも部分的に基づいて1つまたは複数のハンドオーバパラメータを調節するための手段を含むことができる。
【００１１】
別の態様は通信装置に関する。装置は、UEに関連する1つまたは複数のUE測定値を取得するように構成された処理システムを含むことができる。さらに、処理システムは、取得した1つまたは複数のUE測定値に少なくとも部分的に基づいてUEのモビリティ状態を判定するように構成され得る。さらに、処理システムは、判定したUEのモビリティ状態に少なくとも部分的に基づいて1つまたは複数のハンドオーバパラメータを調節するようにさらに構成され得る。
【００１２】
さらに別の態様はコンピュータプログラム製品に関し、コンピュータプログラム製品は、UEに関連する1つまたは複数のUE測定値を取得するためのコードを含むコンピュータ可読媒体を有することができる。さらに、コンピュータ可読媒体は、取得した1つまたは複数のUE測定値に少なくとも部分的に基づいてUEのモビリティ状態を判定するためのコードを含み得る。さらに、コンピュータ可読媒体は、判定したUEのモビリティ状態に少なくとも部分的に基づいて1つまたは複数のハンドオーバパラメータを調節するためのコードを含むことができる。
【００１３】
別の関連する態様によれば、UEによってハンドオーバ分類を判定するための方法が提供される。方法は、1つまたは複数のUE測定値を取得するステップを含むことができる。さらに、方法は、取得した1つまたは複数のUE測定値に基づいてUEのハンドオーバ状態を判定するステップを含むことができる。さらに、方法は、判定したUEのハンドオーバ状態に基づいてハンドオーバ関連処置を実行するステップを含み得る。
【００１４】
別の態様は、UEによってハンドオーバ分類を判定する通信装置に関する。通信装置は、1つまたは複数のUE測定値を取得するための手段を含むことができる。さらに、通信装置は、取得した1つまたは複数のUE測定値に基づいてUEのハンドオーバ状態を判定するための手段を含むことができる。さらに、通信装置は、判定したUEのハンドオーバ状態に基づいてハンドオーバ関連処置を実行するための手段を含むことができる。
【００１５】
別の態様は通信装置に関する。装置は、1つまたは複数のUE測定値を取得するように構成された処理システムを含むことができる。さらに、処理システムは、取得した1つまたは複数のUE測定値に基づいてUEのハンドオーバ状態を判定するように構成され得る。さらに、処理システムは、判定したUEのハンドオーバ状態に基づいてハンドオーバ関連処置を実行するようにさらに構成され得る。
【００１６】
さらに別の態様はコンピュータプログラム製品に関し、コンピュータプログラム製品は、1つまたは複数のUE測定値を取得するためのコードを含むコンピュータ可読媒体を有することができる。さらに、コンピュータ可読媒体は、取得した1つまたは複数のUE測定値に基づいてUEのハンドオーバ状態を判定するためのコードを含み得る。さらに、コンピュータ可読媒体は、判定したUEのハンドオーバ状態に基づいてハンドオーバ関連処置を実行するためのコードを含むことができる。
【００１７】
上記の目的および関連する目的の達成に対して、1つまたは複数の態様は、以下で完全に説明され、特に特許請求の範囲で指摘される特徴を含む。以下の説明および添付の図面は、1つまたは複数の態様のいくつかの例示的特徴を詳細に説明する。しかし、これらの特徴は、様々な態様の原理が利用され得る様々な方式のうちのいくつかを示すだけであり、この説明は、すべてのそのような態様およびその均等物を含むものとする。
【００１８】
開示される態様は、開示される態様を限定するためではなく、例示するために与えられ、同様の名称が同様の要素を表す添付の図面と共に以下で説明される。
【図面の簡単な説明】
【００１９】
【図１】1つまたは複数のフェムトノードおよび1つまたは複数のマクロノードを通じて複数のUEに対するサポートを提供する例示的異種アクセスシステムのブロック図である。
【図２】フェムトノード間で頻繁にハンドオーバするUEについてのハンドオーバ分類を容易にする例示的システムのブロック図である。
【図３】本明細書で説明する様々なシステムおよび方法と共に利用することのできる例示的ワイヤレスネットワーク環境の図である。
【図４】一態様による、頻繁にハンドオーバするUEについてのハンドオーバ分類を容易にする第1の例示的方法のフローチャートである。
【図５】例示的装置内の異なるモジュール/手段/構成要素間のデータフローを示す概念的データフロー図である。
【図６】処理システムを利用する装置についてのハードウェア実装の一例を示すダイアグラムである。
【図７】一態様による、頻繁にハンドオーバするUEについてのハンドオーバ分類を容易にする第2の例示的方法のフローチャートである。
【図８】例示的装置内の異なるモジュール/手段/構成要素間のデータフローを示す概念的データフロー図である。
【図９】処理システムを利用する装置についてのハードウェア実装の一例を示す図である。
【発明を実施するための形態】
【００２０】
次に、図面を参照しながら様々な態様について説明する。以下の説明では、説明の都合上、1つまたは複数の態様の完全な理解を与えるために多数の特定の詳細を説明する。しかし、そのような態様がこれらの特定の詳細なしに実施され得ることは明らかであることがある。
【００２１】
上記のように、頻繁なハンドオーバの結果、ユーザ体験を低下させ得るパケット損失、ボイスアーチファクト(voice artifacts)、遅延が生じることがあり、頻繁なハンドオーバは、過剰なネットワーク側シグナリングを生成し得る。低電力基地局間のそのような頻繁なハンドオーバを緩和するために、モバイルデバイスが高速移動中(たとえば、高モビリティ状態)であるか、それとも静止している、もしくは低速移動中(たとえば、低モビリティ状態)であるかに基づいて異なる解決策が採用され得る。たとえば、静止している、かつ/または低速移動中のモバイルデバイスでは、ハンドオーバパラメータが、低電力基地局のうちの少なくとも一部へのモバイルデバイスのハンドオーバを遅延するように調節され得る。別の実施例では、高速移動中のモバイルデバイスでは、別の周波数または無線アクセス技術上のマクロセルへのハンドオーバが、頻繁なハンドオーバを軽減するために開始され得る。これらの解決策は、モバイルデバイスを、静止している、または低速移動中、または高速移動中と正しく分類することに基づき得る。本明細書でさらに説明するように、フェムトノードなどの低電力基地局は、ハンドオーバの分類(たとえば、UEが高速移動中であり、またはハンドオーバをピンポン中であるかどうか)に基づいて処置を識別することにより、頻繁なハンドオーバを軽減することができる。さらに、UEは、ハンドオーバを分類し、所望の処置をネットワークに通知し、かつ/または処置自体を実行し得る。ハンドオーバ分類(たとえば、高速移動中のUE、ピンポンUE)に基づいて、適切な処置が選択され得る。たとえば、UEがピンポンハンドオーバUEと分類される場合、ハンドオーバパラメータが、ハンドオーバの発生を遅延するように調節され得る。ハンドオーバパラメータは、限定はしないが、ヒステリシス、トリガ時間(TTT)、フィルタ係数、セル個別オフセット、測定識別、測定イベント、イベントについてのオフセットパラメータ(たとえば、a3-Offset)、周波数特有のオフセットなどを含み得る。UEが高速移動中のUEと分類される別の実施例では、異なる搬送波および/または無線アクセス技術(RAT)を使用しているマクロノードへのハンドオーバが開始され得る。UEが高速移動中のUEと分類される別の態様では、ハンドオーバパラメータが、ハンドオーバの発生の遅延を低減するように調節され、それによって潜在的に呼断が回避され得る。
【００２２】
本明細書で参照される低電力基地局は、フェムトノード、ピコノード、マイクロノード、ホームノードBもしくはホーム進化型ノードB(H(e)NB)、リレー、および/または他の低電力基地局を含むことができ、本明細書ではこれらの用語のうちの1つを使用して参照されることがあるが、これらの用語の使用は、低電力基地局を全般的に包含するものとする。たとえば、低電力基地局は、ワイヤレス広域ネットワーク(WWAN)に関連するマクロ基地局と比べて比較的低い電力を送信する。したがって、低電力基地局のカバレッジエリアは、マクロ基地局のカバレッジエリアよりもかなり小さいことがある。
【００２３】
本願では、「構成要素」、「モジュール」、「システム」などの用語は、限定はしないが、ハードウェア、ファームウェア、ハードウェアとソフトウェアの組合せ、ソフトウェア、実行中のソフトウェアなどのコンピュータ関連のエンティティを含むものとする。たとえば、構成要素は、限定はしないが、プロセッサ上で実行中のプロセス、プロセッサ、オブジェクト、実行可能ファイル、実行のスレッド、プログラム、および/またはコンピュータでよい。例として、コンピューティングデバイス上で実行中のアプリケーションとコンピューティングデバイスの両方が構成要素でよい。1つまたは複数の構成要素が、プロセスおよび/または実行のスレッド内に常駐することができ、構成要素は、1つのコンピュータ上に局所化され、かつ/または2つ以上のコンピュータ間で分散され得る。さらに、これらの構成要素は、その上に格納された様々なデータ構造を有する様々なコンピュータ可読媒体から実行することができる。構成要素は、ローカルシステム、分散システム内の別の構成要素と対話する、かつ/またはインターネットなどのネットワークを介して信号によって他のシステムと対話する、ある構成要素からのデータなどの1つまたは複数のデータパケットを有する信号に従うような、ローカルおよび/またはリモートプロセスによって通信し得る。
【００２４】
さらに、様々な態様が、端末に関して本明細書で説明され、端末は、ワイヤード端末またはワイヤレス端末でよい。端末は、システム、デバイス、サブスクライバユニット、加入者局、移動局、モバイル、モバイルデバイス、リモート局、リモート端末、アクセス端末、ユーザ端末、端末、通信デバイス、ユーザエージェント、ユーザデバイス、またはユーザ機器(UE)とも呼ばれることがある。ワイヤレス端末またはデバイスは、セルラー電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、タブレット、コンピューティングデバイス、またはワイヤレスモデムに接続された他の処理デバイスでよい。さらに、様々な態様が、基地局に関して本明細書で説明される。基地局は、ワイヤレス端末との通信のために利用されることがあり、アクセスポイント、ノードB、進化型ノードB(eNB)、集合的にH(e)NBと呼ばれるホームノードB(HNB)もしくはホーム進化型ノードB(HeNB)、または何らかの他の技術とも呼ばれることがある。
【００２５】
さらに、「または」という用語は、排他的な「または」ではなく、包含的な「または」を意味するものとする。すなわち、別段に指定されていない限り、または文脈から明らかでない限り、「XがAまたはBを利用する」という語句は、自然包括的並べ替えを意味するものとする。すなわち、「XがAまたはBを利用する」という語句は、次の例のいずれかによって満たされる。XがAを利用する、XがBを利用する、またはXがAとBの両方を利用する。さらに、本願および添付の特許請求の範囲で使用される「a」および「an」は、別段に指定されていない限り、または文脈から単数形を対象とすべきことが明らかでない限り、一般には、「1つまたは複数」を意味するように解釈されるべきである。
【００２６】
本明細書で説明する技法は、CDMA、TDMA、FDMA、OFDMA、SC-FDMA、WiFi搬送波感知多元接続(CSMA)、および他のシステムなどの様々なワイヤレス通信システムのために使用され得る。「システム」および「ネットワーク」という用語は、しばしば互換的に使用される。CDMAシステムは、ユニバーサル地上無線アクセス(UTRA)、cdma2000などの無線技術を実装し得る。UTRAは、広帯域CDMA(W-CDMA)およびCDMAの他の変形を含む。さらに、cdma2000は、IS-2000、IS-95、およびIS-856標準を包含する。TDMAシステムは、Global System for Mobile Communications(GSM(登録商標))などの無線技術を実装し得る。OFDMAシステムは、進化型UTRA(E-UTRA)、ウルトラモバイルブロードバンド(UMB)、IEEE802.11(Wi-Fi)、IEEE802.16(WiMAX)、IEEE802.20、Flash-OFDM(登録商標)などの無線技術を実装し得る。UTRAおよびE-UTRAは、ユニバーサルモバイル通信システム(UMTS)の部分である。3GPP Long Term Evolution(LTE)は、ダウンリンクでOFDMAを利用し、アップリンクでSC-FDMAを利用する、E-UTRAを使用するUMTSのリリースである。UTRA、E-UTRA、UMTS、LTE、およびGSM(登録商標)は、「3rd Generation Partnership Project」(3GPP)という名称の組織からの文書で説明されている。さらに、cdma2000およびUMBは、「3rd Generation Partnership Project 2」(3GPP2)という名称の組織からの文書で説明されている。さらに、そのようなワイヤレス通信システムは、不対無免許スペクトル(unpaired unlicensed spectrum)、802.xxワイヤレスLAN、BLUETOOTH(登録商標)、および任意の他の近距離または遠距離ワイヤレス通信技法をしばしば使用する、ピアツーピア(たとえば、モバイル-モバイル)アドホックネットワークシステムを含み得る。
【００２７】
いくつかのデバイス、構成要素、モジュールなどを含み得るシステムに関して、様々な態様または機能が提示される。様々なシステムが、追加のデバイス、構成要素、モジュールなどを含むことがあり、かつ/または図に関して論じられるデバイス、構成要素、モジュールなどのすべてを含まないことがあることを理解および諒解されたい。これらの手法の組合せも使用され得る。
【００２８】
図1を参照すると、例示的異種アクセスシステム100が示される。システム100はマクロノード102を備え、マクロノード102は、一実施例では、マクロ基地局、またはフェムト、ピコ、もしくは他の低電力基地局ノードでよい。システム100はまた、フェムトノード104および106をも含み、フェムトノード104および106は、ほぼ任意のタイプの低電力基地局またはその少なくとも一部でよい。ノード102、104、および106は、それぞれのカバレッジエリア108、110、および112を提供する。システム100はまた、ワイヤレスネットワークアクセスを受け取るためにノード102、104、または106と通信する複数のデバイス114、116、118、120、122、124、126、および128をも含む。
【００２９】
前述のように、フェムトノード104および106は、ブロードバンド接続を介してワイヤレスネットワーク(図示せず)と通信することができる。さらに、フェムトノード104および106は、バックホール接続を介して、互いに、および/またはマクロノード102と通信することができる。たとえば、初期化時に、フェムトノード104および/または106のうちの1つまたは複数は互いに通信して、グルーピング(たとえば、アドホックネットワーク)を形成することもできる。これにより、一実施例では、フェムトノード104および/または106が通信して、それに接続された様々なデバイスにサービスすることに関するパラメータ(たとえば、リソース割振りおよび/または干渉管理など)を判定することが可能となる。さらに、フェムトノード104および106は、ワイヤレスネットワーク内で動作するようにそれ自体を構成し得る(たとえば、バックホール接続、無線から受信し、あるいは周囲のノードから感知した類似の情報に基づいて、送信電力、ネットワーク識別子、および/またはパイロット信号リソースなどを設定する)。
【００３０】
一実施例では、デバイス124がフェムトノード104の範囲内にあるので、フェムトノード104は、マクロノード102からデバイス124をオフロードするためにオープンまたはハイブリッドアクセスモードで動作することができる。しかし、いくつかの実施例では、デバイス124はフェムトノード104により近い可能性があっても、フェムトノード104は、デバイス124にサービスする最良の候補ではないことがある。たとえば、マクロノード102および/またはフェムトノード106が、より望ましい特性を有し得る。一例では、フェムトノード104は、マクロノード102および/またはフェムトノード106よりも高いダウンリンクおよび/またはアップリンク負荷を有することがあり、したがって、別のノードへのハンドオーバの結果、デバイス124についてより良好な性能、または体験の改善が得られ得る。
【００３１】
図2は、フェムトノード間で頻繁にハンドオーバするUEについてのハンドオーバ分類を容易にする例示的システム200を示す。システム200は、それぞれのカバレッジエリア212、214、216、218を有するフェムトノード204、206、208、および210を含み得る。システム200は、カバレッジエリア222を有する1つまたは複数のマクロノード220をさらに含み得る。一態様では、フェムトノード204、206、208、および210ならびにマクロノード220が、異なる搬送波および/または異なるRATを使用するように構成され得る。別の態様では、フェムトノード204、206、208、210は、バックホール接続260を介して、互いに、および/またはマクロノード220と通信し得る。システム200は、1つまたは複数のUE230、240をさらに含み得る。図示される態様では、UE230は静止しているUEでよく、UE240は、経路242に沿ってシステム200の中を移動している高速移動中のUEでよい。
【００３２】
さらに、各UE230、240は、その最近のハンドオーバについての情報を少なくとも含むハンドオーバ履歴245を維持し得る。たとえば、UE230がフェムトノード204、206、208、および210のカバレッジエリア212、214、216、218の縁部付近に位置するとき、UE230についてのハンドオーバ履歴245は、フェムトノード206、フェムトノード210、フェムトノード204、フェムトノード206、フェムトノード204などの例示的パターンを有し得る。別の実施例では、UE240が、フェムトノード204、206、208、および210のカバレッジエリア212、214、216、218の中を経路242に沿って移動しているとき、UE240のハンドオーバ履歴245は、フェムトノード206、フェムトノード210、フェムトノード204、フェムトノード206、フェムトノード204などのほぼ同様の例示的パターンを有し得る。各UEについてのハンドオーバ履歴245は、ノード(たとえば、204、206など)によっても構成され得る。たとえば、各ノードは、UEにサービスするとき、UEがノード上で過ごす時間を計算し得る。次いでノードは、UEがハンドオーバされる近隣セルに、ノードについての情報(たとえば、セル識別、PLMN識別、セルタイプ-マクロ/ピコ/フェムト/マイクロなど)と共に時間情報を伝え得る。次いで近隣セルは、類似の情報を収集および負荷し、それを、UEがハンドオーバされる次のセルに伝えることができる。したがって、UEがあるセルから別のセルに移動するとき、UEハンドオーバ履歴情報は、あるセルから別のセルに渡されるにつれて累積し得る。別の実施例では、ハンドオーバ履歴245情報はUE履歴情報と呼ばれることがある。ハンドオーバ履歴245は、ハンドオーバのためのUE230、240の分類を支援するために、ノード(たとえば、204、206など)に提供され得る。そのような態様では、高速移動中のUE240またはピンポン中のUE230のUEハンドオーバ履歴252は類似のハンドオーバパターンを示し得るので、UEハンドオーバ履歴252だけでは、頻繁なハンドオーバの原因をフェムトノード204が理解することを可能にするには不十分であることがあり、したがって、UEハンドオーバ履歴252だけでは、フェムトノード204がUEを分類することを可能にするには不十分であることがある。
【００３３】
UE230および/またはUE240は、UE(230、240)を分類し、UE分類に基づいてハンドオーバパラメータを調節する際にUE(230、240)および/またはフェムトノード(204、206、208、210)を支援するように構成されたハンドオーバモジュール244を含み得る。ハンドオーバモジュール244は、UE測定値を取得するように構成されたUE測定値モジュール246を含み得る。一態様では、UE測定値は、無線リンク品質(たとえば、UE(230、240)によって認識されたダウンリンク無線リンク品質)を示し得る。たとえば、UE測定値は、限定はしないが、受信信号コード電力(RSCP:receive signal code power)、基準信号受信電力(RSRP:Reference Signal Received Power)、受信信号強度表示(RSSI:Received Signal Strength Indication)、経路損失(PL)などを含み得る。そのような態様では、PLは、ノードの既知の送信電力と、UEでの受信信号電力とから推定され得る。別の態様では、UE測定値モジュール246は、UE(230、240)に関連する1つまたは複数のセンサから値を取得し得る。たとえば、加速度計値、ジャイロスコープ値、ユーザ入力値などである。別の態様では、UE測定値モジュール246は、UE(230、240)の位置情報を取得し得る。位置情報は、全地球測位システム(GPS)、観測到来時間差(OTDOA:observed time difference of arrival)などに基づき得る。任意選択の態様では、ハンドオーバモジュール244は、UE測定値モジュール246からの値に少なくとも部分的に基づいてUE(230、240)を分類するように構成され得るハンドオーバ状態モジュール248を含み得る。たとえば、ハンドオーバ状態モジュール248は、限定はしないが、PL、RSCP、他のUE測定値、ハンドオーバ履歴245などの様々な情報に基づいてUE240のモビリティ状態(たとえば、高速移動中、低速移動中など)を分類し得る。一態様では、ハンドオーバ状態モジュール248は、UE240に関連する1つまたは複数のハンドオーバパラメータを修正し、かつ/またはUE240を別の周波数/無線技術にハンドオーバす
るようにノードに促すメッセージを生成し得る。別の態様では、ハンドオーバ状態モジュール248は、それ自体のハンドオーバパラメータを修正し得る。そのような態様では、UE240は、UE240によって行われた処置/修正をノード204に通知し得る。たとえば、UE240は、ハンドオーバ状態モジュール248がUE240を低モビリティ状態(たとえば、ピンポンハンドオーバ)と分類する場合に、より大きいTTTおよび/またはヒステリシスが得られ、ハンドオーバ状態モジュール248がUE240を高モビリティ状態(たとえば、高速移動中のハンドオーバ)と分類する場合に、より小さいTTTおよび/またはヒステリシスが得られるようにパラメータを修正し得る。別の態様では、ハンドオーバ状態モジュール248は、1つまたは複数のパラメータがノードのサブセット(たとえば、ピンポン中のセルのみ)に適用され得ることを示し得る。さらに別の態様では、ハンドオーバ状態モジュール248は、マクロノード220への順方向ハンドオーバを実行するようにUE240に促し得る。そのような態様では、マクロノード220は、異なる周波数および/または異なるRAT上の通信をサポートし得る。
【００３４】
フェムトノード(たとえば、204、206、208、210)は、ハンドオーバ構成のためのUE分類を支援するためにハンドオーバ管理モジュール250を含み得る。一態様では、ハンドオーバ管理モジュール250は、UE測定値を取得するように構成されるUE測定値モジュール254を含み得る。UE測定値のいくつかの態様および実施例がすでに上記で示された。一態様では、UE測定値モジュール254は、システム200内のUE測定値をレポートするUE(たとえば、230、240)からUE測定値を取得し得る。一態様では、UE(たとえば、230、240)は、ハンドオーバ時に、周期的に、などで測定値をレポートし得る。別の態様では、UE測定値モジュール254は、バックホール(たとえば、X2)接続260を介して、1つまたは複数の他のフェムトノード(たとえば、206、208、210)からUE測定値を取得し得る。そのような態様では、UE測定値は、UEについてのUEハンドオーバ履歴252と共に(たとえば、UE履歴情報要素として)含まれ得る。そのような態様では、ソースノード(たとえば、306)は、UE測定値を(任意選択でUEハンドオーバ履歴252と共に)ターゲットノード(たとえば、204)に渡し得る。ハンドオーバ管理モジュール250は、UE測定値に少なくとも部分的に基づいてUEのモビリティ状態を判定するように構成され得るUEモビリティ状態判定モジュール256と、UEモビリティ状態判定モジュール256によって判定されたモビリティ状態に少なくとも部分的に基づいてハンドオーバパラメータを調節するように構成され得るハンドオーバパラメータ修正モジュール258とをさらに含み得る。一態様では、ターゲットノード(たとえば、204)は、UE測定値(および任意選択でUEハンドオーバ履歴252)を解析して、UEモビリティ状態を分類し、適切な処置を取り得る。別の態様では、別のネットワークエンティティ(たとえば、RNC、MME、ゲートウェイ、管理サーバなど)が、モビリティ状態判定を実行し、適切な情報を1つまたは複数のフェムトノード(たとえば、204、206、208、210)に提供し得る。
【００３５】
動作態様では、UEモビリティ状態判定モジュール256および/またはハンドオーバ状態モジュール248は、少なくともUE測定値を解析してUEモビリティ状態を判定し得る。一態様では、UE測定値が実質的に一貫した傾きなしに持続時間にわたって変動する(たとえば、持続時間にわたって一貫した変化がない)場合、UEモビリティ状態判定モジュール256および/またはハンドオーバ状態モジュール248は、UEを低モビリティ状態と分類し得る。一実施例では、UE測定値は、位置の一貫した変化を示さない。別の態様では、少なくともセル無線リンク品質が持続時間にわたってほぼ一貫して変化していることをUE測定値が示す場合、UEモビリティ状態判定モジュール256および/またはハンドオーバ状態モジュール248は、UEを高モビリティ状態と分類し得る。言い換えれば、UE測定値は、位置の(たとえば、振動ではなく)一貫した変化を示す。UEの判定したモビリティ状態に基づいて、ハンドオーバパラメータ修正モジュール258および/またはハンドオーバ状態モジュール248はハンドオーバパラメータを調節し得る。たとえば、ハンドオーバパラメータ修正モジュール258および/またはハンドオーバ状態モジュール248は、UEが低モビリティ状態(たとえば、ピンポンハンドオーバ)と分類されるとき、より大きいTTTおよび/またはヒステリシスおよび/またはオフセットが得られ、UEが高モビリティ状態(たとえば、高速移動中のハンドオーバ)と分類されるとき、より小さいTTTおよび/またはヒステリシスおよび/またはオフセットが得られるようにパラメータを修正し、UEが高モビリティ状態(たとえば、高速移動中のハンドオーバ)と分類されるとき、マクロノード222へのハンドオーバを促し得る。別の態様では、ハンドオーバパラメータ修正モジュール258および/またはハンドオーバ状態モジュール248は、1つまたは複数のパラメータがノードのサブセット(たとえば、ピンポン中のセルのみ)に適用され得ることを示し得る。
【００３６】
図3は、例示的ワイヤレス通信システム300を示す。ワイヤレス通信システム300は、簡潔のために、フェムトノードを含むことができる1つの基地局310と、1つのモバイルデバイス350とを示す。しかし、システム300は複数の基地局および/または複数のモバイルデバイスを含むことができ、追加の基地局および/またはモバイルデバイスは、以下で説明する例示的基地局310およびモバイルデバイス350と実質的に同様でよく、または異なるものでよいことを理解されたい。さらに、基地局310および/またはモバイルデバイス350は、それらの間のワイヤレス通信を容易にするために、本明細書で説明するシステム(図1、図2、図5、図6、図8、および図9)および/または方法(図4および図7)を利用することができることを理解されたい。たとえば、本明細書で説明するシステムおよび/または方法の構成要素または機能は、以下で説明するメモリ332および/または372あるいはプロセッサ330および/または370の部分でよく、かつ/または開示される機能を実行するためにプロセッサ330および/または370によって実行されてよい。
【００３７】
基地局310で、いくつかのデータストリームについてのトラフィックデータが、データソース312から送信(TX)データプロセッサ314に提供される。一実施例によれば、各データストリームは、それぞれのアンテナを介して送信されてよい。TXデータプロセッサ314は、トラフィックデータストリームについて選択された特定のコーディング方式に基づいて、そのデータストリームをフォーマットし、符号化し、インターリーブし、符号化されたデータを提供する。
【００３８】
各データストリームについての符号化されたデータは、直交周波数分割多重方式(OFDM)技法を使用して、パイロットデータと多重化されてよい。追加または代替として、パイロットシンボルは、周波数分割多重化(FDM)、時分割多重化(TDM)、または符号分割多重化(CDM)でよい。パイロットデータは通常、周知の方式で処理される既知のデータパターンであり、チャネル応答を推定するためにモバイルデバイス350で使用されることができる。各データストリームについての多重化パイロットおよび符号化データは、変調シンボルを提供するために、そのデータストリームについて選択された特定の変調方式(たとえば、2値位相偏移キーイング(BPSK)、直交位相偏移キーイング(QPSK)、M位相偏移キーイング(M-PSK)、M直交振幅変調(M-QAM)など)に基づいて変調(たとえば、シンボルマッピング)されてよい。各データストリームについてのデータレート、符号化、および変調は、プロセッサ330によって実行または提供される命令によって決定されてよい。
【００３９】
データストリームについての変調シンボルがTX MIMOプロセッサ320に提供されてよく、TX MIMOプロセッサ320は、(たとえば、OFDMについて)変調シンボルをさらに処理することができる。次いでTX MIMOプロセッサ320は、NT個の変調シンボルストリームをNT個の送信機(TMTR)322aから322tに提供する。様々な実施形態では、TX MIMOプロセッサ320は、データストリームのシンボルと、シンボルが送信されているアンテナとにビーム形成重みを適用する。
【００４０】
各送信機322は、それぞれのシンボルストリームを受信および処理して、1つまたは複数のアナログ信号を提供し、アナログ信号をさらに調整(たとえば、増幅、フィルタ処理、およびアップコンバート)して、MIMOチャネルを介して送信するのに適した変調信号を提供する。さらに、送信機322aから322tからのNT個の変調信号が、NT個のアンテナ324aから324tからそれぞれ送信される。
【００４１】
モバイルデバイス350で、送信された変調信号がNR個のアンテナ352aから352rによって受信され、各アンテナ352から受信された信号が、それぞれの受信機(RCVR)354aから354rに提供される。各受信機354は、それぞれの信号を調整(たとえば、フィルタ処理、増幅、およびダウンコンバート)し、調整した信号をデジタル化してサンプルを提供し、サンプルをさらに処理して、対応する「受信した」シンボルストリームを提供する。
【００４２】
RXデータプロセッサ360は、NR個の受信機354からNR個の受信したシンボルストリームを受信して、特定の受信機処理技法に基づいて処理し、NT個の「検出した」シンボルストリームを提供することができる。RXデータプロセッサ360は、各検出したシンボルストリームを復調、デインタリーブ、および復号化し、データストリームについてのトラフィックデータを回復することができる。RXデータプロセッサ360による処理は、基地局310でTX MIMOプロセッサ320およびTXデータプロセッサ314によって実行されるものと相補的である。
【００４３】
逆方向リンクメッセージは、通信リンクおよび/または受信したデータストリームに関する様々なタイプの情報を含むことができる。逆方向リンクメッセージは、データソース336からいくつかのデータストリームについてのトラフィックデータも受信するTXデータプロセッサ338によって処理され、変調器380によって変調され、送信機354aから354rによって調整され、基地局310に送り戻されてよい。
【００４４】
基地局310で、モバイルデバイス350からの変調信号がアンテナ324によって受信され、受信機322によって調整され、復調器340によって復調され、RXデータプロセッサ342によって処理され、モバイルデバイス350によって送信された逆方向リンクメッセージが抽出される。さらに、プロセッサ330は、抽出されたメッセージを処理して、ビーム形成重みを求めるためにどのプリコーディングマトリックスを使用するかを決定することができる。
【００４５】
プロセッサ330および370は、それぞれ基地局310およびモバイルデバイス350での動作を指示(たとえば、制御、調整、管理など)することができる。それぞれのプロセッサ330および370は、プログラムコードおよびデータを格納するメモリ332および372に関連付けられてよい。プロセッサ330および370はまた、フェムトノードからデバイスをオフローディングすることをサポートするために本明細書で説明する機能を実行することができる。
【００４６】
図4および図7を参照すると、ハンドオーバのためのUE分類に関する例示的方法が示されている。説明を簡単にするために、方法が一連の動作として図示および説明されるが、いくつかの動作は、1つまたは複数の実施形態に従って、本明細書で図示および説明するのとは異なる順序で、かつ/または他の動作と同時に行われ得るので、方法は動作に順序によって限定されないことを理解および諒解されたい。たとえば、方法は、別法として状態図の中などの一連の相互に関係する状態またはイベントとして表され得ることを理解されたい。さらに、1つまたは複数の実施形態により方法を実装するのに、すべての図示される動作が必要ではないことがある。
【００４７】
図4を参照すると、ハンドオーバのためのUE分類を容易にする例示的方法400が表示されている。一態様では、方法400は、サービングフェムトノード、ターゲットフェムトノード、ホームノードBゲートウェイ、管理サーバ、またはホームeNodeBゲートウェイなどによって実行され得る。簡潔および明瞭のために、フェムトノードを参照しながら方法が説明される。
【００４８】
402で、フェムトノードは、UEに関連するUE測定値を取得し得る。一態様では、フェムトノード502の受信モジュール504は、UE(230、240)からUE測定値520を(たとえば、測定レポートで)受信し得る。別の態様では、受信モジュール504は、別のノード(たとえば、206、208、210)からUE測定値522を受信し得る。そのような態様では、UE測定値522は、UE履歴情報メッセージ内に含まれ得る。一態様では、別のノード(たとえば、206、208、210)が近隣セルに関連付けられ得る。一態様では、UE測定値は、無線リンク品質(たとえば、UEによって認識されるダウンリンク無線リンク品質)を示し得る。たとえば、UE測定値は、限定はしないが、RSCP、RSRP、RSSI、PSなどを含み得る。別の態様では、UE測定値は、GPS、センサ測定値などから少なくとも部分的に取得されたUEの位置情報を含み得る。別の態様では、受信モジュール504は、UE(230、240)によって実行された解析に基づくそのモビリティ状態を示すメッセージをUE(230、240)から受信し得る。
【００４９】
404で、フェムトノードは、UE測定値に少なくとも部分的に基づいてUEのモビリティ状態を判定し得る。一態様では、モビリティ状態判定モジュール506は、UE測定値(520、522)を処理して、UEモビリティ状態524を判定し得る。一態様では、UEモビリティ状態524は、高モビリティ状態または低モビリティ状態と判定され得る。別の態様では、モビリティ状態判定モジュール506は、持続時間にわたってUE測定値(520、522)を解析することによってUEモビリティ状態524を判定し得る。そのような態様では、モビリティ状態判定モジュール506は、1つまたは複数のUE測定値が持続時間にわたって勾配特性を示すかどうかを判定し得る。一態様では、モビリティ状態判定モジュール506は、1つまたは複数のUE測定値が持続時間にわたって勾配特性を示すとき、UEが高モビリティ状態524にあると判定し得る。一態様では、UE測定値のいずれも持続時間にわたって勾配特性を示さないとき、モビリティ状態判定モジュール506は、UEが低モビリティ状態524にあると判定し得る。
【００５０】
406で、フェムトノードは、判定したUEのモビリティ状態に少なくとも部分的に基づいて1つまたは複数のハンドオーバパラメータを調節し得る。一態様では、ハンドオーバパラメータ修正モジュール508はUEモビリティ状態524を受信することがあり、UEモビリティ状態524に少なくとも部分的に基づいて1つまたは複数のパラメータ526を調節し得る。一態様では、ハンドオーバパラメータ修正モジュール508は、UE(たとえば、240)を、別の周波数または別の無線アクセス技術上のセル(たとえば、222)にハンドオーバし得る。一態様では、ハンドオーバパラメータ修正モジュール508は、UE(たとえば、240)のハンドオーバの発生の遅延を低減するようにパラメータ526を調節し得る。一態様では、ハンドオーバパラメータ修正モジュール508は、UE(たとえば、230)のハンドオーバの発生を遅延するようにパラメータ526を調節し得る。一態様では、パラメータは、限定はしないが、ヒステリシス、トリガ時間(TTT)、フィルタ係数、セル個別オフセット、測定識別、測定イベント、イベントについてのオフセットパラメータ(たとえば、a3-Offset)、周波数特有のオフセットなどを含み得る。
【００５１】
図5は、例示的装置502内の異なるモジュール/手段/構成要素間のデータフローを示す概念的データフロー図500である。装置はサービングノードでよい。図4で説明されるフローチャートを参照しながら上記で示したように、装置は、受信モジュール504、モビリティ状態判定モジュール506、ハンドオーバパラメータ修正モジュール508、および送信モジュール510を含む。
【００５２】
装置は、図4の前述のフローチャート内のアルゴリズムの各ステップを実行する追加のモジュールを含み得る。したがって、図4の前述のフローチャート内の各ブロックは、モジュールによって実行されることがあり、装置は、それらのモジュールのうちの1つまたは複数を含み得る。モジュールは、記載のプロセス/アルゴリズムを実行するように特に構成され、記載のプロセス/アルゴリズムを実行するように構成されたプロセッサによって実装され、プロセッサによる実装のためにコンピュータ可読媒体内に格納され、またはそれらの何らかの組合せである、1つまたは複数のハードウェア構成要素でよい。
【００５３】
図6は、処理システム614を利用する装置502'についてのハードウェア実装の一例を示すダイアグラム600である。処理システム614は、バス624によって一般的に表されるバスアーキテクチャと共に実装され得る。バス624は、処理システム614の特定の応用例および全体的な設計制約に応じて、任意の数の相互接続バスおよびブリッジを含み得る。バス624は、プロセッサ604、モジュール504、506、508、510によって表される1つまたは複数のプロセッサおよび/またはハードウェアモジュールを含む様々な回路と、コンピュータ可読媒体606とを互いにリンクする。バス624はまた、当技術分野で周知であり、したがってさらには説明しないタイミングソース、周辺機器、電圧調整器、電源管理回路などの様々な他の回路をリンクし得る。
【００５４】
処理システム614は、トランシーバ610に結合され得る。トランシーバ610は、1つまたは複数のアンテナ620に結合される。トランシーバ610は、伝送媒体を介して様々な他の装置と通信するための手段を提供する。処理システム614は、コンピュータ可読媒体606に結合されたプロセッサ604を含む。プロセッサ604は、コンピュータ可読媒体606上に格納されたソフトウェアの実行を含む一般的処理の役割を果たす。ソフトウェアは、プロセッサ604によって実行されたとき、任意の特定の装置について上記で説明した様々な機能を処理システム614に実行させる。コンピュータ可読媒体606はまた、ソフトウェアを実行するときにプロセッサ604によって操作されるデータを格納するために使用され得る。処理システムは、モジュール504、506、508、および510のうちの少なくとも1つをさらに含む。モジュールは、コンピュータ可読媒体606内に常駐する/格納されたプロセッサ604内で実行中のソフトウェアモジュール、プロセッサ604に結合された1つまたは複数のハードウェアモジュール、またはそれらの何らかの組合せでよい。処理システム614は、ノード310の構成要素でよく、メモリ332、ならびに/あるいはTXデータプロセッサ314、RXデータプロセッサ342、およびコントローラ/プロセッサ330のうちの少なくとも1つを含み得る。
【００５５】
一構成では、ワイヤレス通信のための装置502/502'は、UEに関連する1つまたは複数のUE測定値を取得するための手段、取得した1つまたは複数のUE測定値に少なくとも部分的に基づいてUEのモビリティ状態を判定するための手段、および判定したUEのモビリティ状態に少なくとも部分的に基づいて1つまたは複数のハンドオーバパラメータを調節するための手段を含む。一態様では、調節する装置502/502'手段は、UEを別の周波数または別の無線アクセス技術上のセルにハンドオーバするようにさらに構成され得る。一態様では、調節する装置502/502'手段は、UEのハンドオーバの発生の遅延を低減するように1つまたは複数のハンドオーバパラメータを修正するようにさらに構成され得る。一態様では、調節する装置502/502'手段は、UEのハンドオーバの発生を遅延するように1つまたは複数のハンドオーバパラメータを修正するようにさらに構成され得る。別の態様では、判定する装置502/502'手段は、1つまたは複数のUE測定値が持続時間にわたって勾配特性を示すかどうかを判定するようにさらに構成され得る。別の態様では、取得する装置502/502'手段は、そのモビリティ状態を示すメッセージをUEから受信するようにさらに構成され得る。そのような態様では、判定する装置502/502'手段は、受信したメッセージに基づいてモビリティ状態を判定するように構成され得る。
【００５６】
前述の手段は、前述の手段によって列挙される機能を実行するように構成された前述の装置502のモジュールおよび/または装置502'の処理システム614のうちの1つまたは複数でよい。前述のように、処理システム614は、TXデータプロセッサ314、RXデータプロセッサ342、およびコントローラ/プロセッサ330を含み得る。したがって、一構成では、前述の手段は、前述の手段によって列挙される機能を実行するように構成されたTXデータプロセッサ314、RXデータプロセッサ342、およびコントローラ/プロセッサ330でよい。
【００５７】
図7を参照すると、ハンドオーバのためのUE分類を容易にする例示的方法700が表示されている。一態様では、方法700はUEによって実行され得る。
【００５８】
任意選択の態様では、702で、UEはハンドオーバを実行し得る。一態様では、持続時間内のハンドオーバのしきい値より多い実行が、UE702を頻繁なハンドオーバUEとして識別され得る。
【００５９】
704で、UEは、UEに関連するUE測定値を取得し得る。一態様では、UE802の受信モジュール804は、(たとえば、システム条件および様々なノード(たとえば、204、206、208、210)からの通信に基づいて)UE測定値820を受信し得る。別の態様では、UE測定値820は、UE履歴情報メッセージ内に含まれ得る。一態様では、UE測定値は、無線リンク品質(たとえば、UE802によって認識されるダウンリンク無線リンク品質)を示し得る。たとえば、UE測定値は、限定はしないが、RSCP、RSRP、RSSI、PSなどを含み得る。別の態様では、UE測定値は、GPS、センサ測定値などから少なくとも部分的に取得されたUEの位置情報を含み得る。
【００６０】
706で、UEは、UE測定値に少なくとも部分的に基づいてUEのハンドオーバ状態を判定し得る。本明細書では、ハンドオーバ状態とは、ハンドオーバがUEサービス品質を改善するか、および/または全体的なネットワーク効率を改善する助けになるかどうかをUEが判定した動作状態を指すことがある。一態様では、ハンドオーバ状態判定モジュール806は、UE測定値820を処理して、UEモビリティ状態822を判定し得る。一態様では、UEモビリティ状態822は、高モビリティ状態または低モビリティ状態であると判定され得る。別の態様では、ハンドオーバ状態判定モジュール806は、持続時間にわたってUE測定値820を解析することによってUEモビリティ状態822を判定し得る。そのような態様では、ハンドオーバ状態判定モジュール806は、1つまたは複数のUE測定値が持続時間にわたって勾配特性を示すかどうかを判定し得る。一態様では、ハンドオーバ状態判定モジュール806は、1つまたは複数のUE測定値が持続時間にわたって勾配特性を示すとき、UE802が高モビリティ状態822にあると判定し得る。一態様では、ハンドオーバ状態判定モジュール806は、UE測定値のいずれも持続時間にわたって勾配特性を示さないとき、UE802が低モビリティ状態822にあると判定し得る。
【００６１】
708で、UEは、判定したUEのモビリティ状態802に基づいてハンドオーバ関連処置を実行し得る。一態様では、ハンドオーバ関連処置管理モジュール808は、判定したUEモビリティ状態822を受信し、ハンドオーバパラメータモジュール810に関連するハンドオーバパラメータ824を調節し得る。一態様では、ハンドオーバ関連処置管理モジュール808は、UEモビリティ状態822に少なくとも部分的に基づいて1つまたは複数のパラメータ824を調節する。一態様では、ハンドオーバ関連処置管理モジュール808は、UEを別の周波数または別の無線アクセス技術上のセル(たとえば、222)にハンドオーバし得る。一態様では、ハンドオーバ関連処置管理モジュール808は、UEのハンドオーバの発生の遅延を低減するようにパラメータ824を調節し得る。一態様では、ハンドオーバ関連処置管理モジュール808は、UEのハンドオーバの発生を遅延するようにパラメータ824を調節し得る。一態様では、パラメータは、限定はしないが、ヒステリシス、トリガ時間(TTT)、フィルタ係数、セル個別オフセット、測定識別、測定イベント、イベントについてのオフセットパラメータ(たとえば、a3-Offset)、周波数特有のオフセットなどを含み得る。
【００６２】
任意選択の態様では、710で、UEは、ハンドオーバ分類に関連する情報をノード(たとえば、204、206、208、210)に送信し得る。一態様では、送信モジュール812は、UE802に関連する、調節した1つまたは複数のハンドオーバパラメータ824を示す通知826をサービングセルに送信し得る。別の態様では、送信モジュール812は、1つまたは複数のハンドオーバパラメータの調節を要求するためにサービングセルにメッセージ826を送信し得る。
【００６３】
図8は、例示的装置802内の異なるモジュール/手段/構成要素間のデータフローを示す概念的データフロー図800である。装置はUEでよい。図7で説明したフローチャートを参照しながら上記で示したように、装置802は、受信モジュール804、ハンドオーバ状態判定モジュール806、ハンドオーバパラメータ修正モジュール808、ハンドオーバパラメータモジュール810、および送信モジュール812を含む。
【００６４】
装置は、図7の前述のフローチャート内のアルゴリズムのステップの各々を実行する追加のモジュールを含み得る。したがって、図7の前述のフローチャート内の各ブロックは、モジュールによって実行されることがあり、装置は、それらのモジュールのうちの1つまたは複数を含み得る。モジュールは、記載のプロセス/アルゴリズムを実行するように特に構成され、記載のプロセス/アルゴリズムを実行するように構成されたプロセッサによって実装され、プロセッサによる実装のためにコンピュータ可読媒体内に格納され、またはそれらの何らかの組合せである、1つまたは複数のハードウェア構成要素でよい。
【００６５】
図9は、処理システム914を利用する装置802'についてのハードウェア実装の一例を示すダイアグラム900である。処理システム914は、バス924によって一般的に表されるバスアーキテクチャと共に実装され得る。バス924は、処理システム914の特定の応用例および全体的な設計制約に応じて、任意の数の相互接続バスおよびブリッジを含み得る。バス924は、プロセッサ904、モジュール804、806、808、810、812によって表される1つまたは複数のプロセッサおよび/またはハードウェアモジュールを含む様々な回路と、コンピュータ可読媒体906とを互いにリンクする。バス924はまた、当技術分野で周知であり、したがってさらには説明しないタイミングソース、周辺機器、電圧調整器、電源管理回路などの様々な他の回路をリンクし得る。
【００６６】
処理システム914は、トランシーバ910に結合され得る。トランシーバ910は、1つまたは複数のアンテナ920に結合される。トランシーバ910は、伝送媒体を介して様々な他の装置と通信するための手段を提供する。処理システム914は、コンピュータ可読媒体906に結合されたプロセッサ904を含む。プロセッサ904は、コンピュータ可読媒体906上に格納されたソフトウェアの実行を含む一般的処理の役割を果たす。ソフトウェアは、プロセッサ904によって実行されたとき、任意の特定の装置について上記で説明した様々な機能を処理システム914に実行させる。コンピュータ可読媒体906はまた、ソフトウェアを実行するときにプロセッサ904によって操作されるデータを格納するために使用され得る。処理システムは、モジュール804、806、808、810、および812のうちの少なくとも1つをさらに含む。モジュールは、コンピュータ可読媒体906内に常駐する/格納されたプロセッサ904内で実行中のソフトウェアモジュール、プロセッサ904に結合された1つまたは複数のハードウェアモジュール、またはそれらの何らかの組合せでよい。処理システム914は、UE350の構成要素でよく、メモリ372、ならびに/あるいはTXデータプロセッサ338、RXデータプロセッサ360、およびコントローラ/プロセッサ370のうちの少なくとも1つを含み得る。
【００６７】
一構成では、ワイヤレス通信のための装置802/802'は、1つまたは複数のUE測定値を取得するための手段、取得した1つまたは複数のUE測定値に基づいてUEのハンドオーバ状態を判定するための手段、および判定したUEのハンドオーバ状態に基づいてハンドオーバ関連処置を実行するための手段を含む。一態様では、装置802/802'は、1つまたは複数のUEハンドオーバを実行するための手段をさらに含み得る。一態様では、実行する装置802/802'手段は、UEに関連する1つまたは複数のハンドオーバパラメータを調節するようにさらに構成され得る。そのような態様では、装置802/802'は、UEに関連する、調節した1つまたは複数のハンドオーバパラメータを示す通知をサービングセルに送信するための手段をさらに含み得る。別の態様では、送信する装置802/802'手段は、1つまたは複数のハンドオーバパラメータの調節を要求するためにサービングセルにメッセージを送信するようにさらに構成され得る。別の態様では、判定する装置802/802'手段は、1つまたは複数のUE測定値が持続時間にわたって勾配特性を示すかどうかを判定するようにさらに構成され得る。
【００６８】
前述の手段は、前述の手段によって列挙される機能を実行するように構成された前述の装置802のモジュールおよび/または装置802'の処理システム914のうちの1つまたは複数でよい。前述のように、処理システム914は、TXデータプロセッサ338、RXデータプロセッサ360、およびコントローラ/プロセッサ370を含み得る。したがって、一構成では、前述の手段は、前述の手段によって列挙される機能を実行するように構成されたTXデータプロセッサ338、RXデータプロセッサ360、およびコントローラ/プロセッサ370でよい。
【００６９】
いくつかの態様では、制限されたフェムトノード(限定加入者グループH(e)NBとも呼ばれてよい)は、アクセス端末の制限された提供されたセットにサービスを提供するものである。このセットは、必要に応じて一時的または永続的に拡張されてよい。いくつかの態様では、限定加入者グループ(CSG)は、アクセス端末の共通アクセス制御リストを共有するアクセスノード(たとえば、フェムトノード)のセットと定義されてよい。領域内のすべてのフェムトノード(またはすべての制限されたフェムトノード)がその上で動作するチャネルは、フェムトチャネルと呼ばれてよい。
【００７０】
したがって、所与のフェムトノードと所与のアクセス端末との間に様々な関係が存在する。たとえば、アクセス端末の観点から、オープンフェムトノードは、制限された関連付けのないフェムトノードを指すことができる。制限されたフェムトノードは、何らかの方式で制限される(たとえば、関連付けおよび/または登録について制限される)フェムトノードを指すことができる。ホームフェムトノードは、アクセス端末がそれに対してアクセスし、操作することを許可されるフェムトノードを指すことができる。ゲストフェムトノードは、アクセス端末が一時的にそれに対してアクセスし、操作することを許可されるフェムトノードを指すことができる。異種フェムトノードは、恐らくは緊急の状況(たとえば、911呼出し)を除いて、アクセス端末がそれに対してアクセスまたは操作することを許可されないフェムトノードを指すことができる。
【００７１】
制限されたフェムトノードの観点から、ホームアクセス端末は、制限されたフェムトノードにアクセスすることを許可したアクセス端末を指すことができる。ゲストアクセス端末は、制限されたフェムトノードへの一時的アクセス権を有するアクセス端末を指すことができる。異種アクセス端末は、恐らくは緊急の状況、たとえば911呼出しを除いて、制限されたフェムトノードにアクセスする許可を有さないアクセス端末(たとえば、制限されたフェムトノードを登録する証明または許可を有さないアクセス端末)を指すことができる。
【００７２】
便宜上、本明細書の開示は、フェムトノードの文脈で様々な機能について説明する。しかし、ピコノードが、より大きいカバレッジエリアについてであるが、フェムトノードと同一または類似の機能を提供することができることを諒解されたい。たとえば、ピコノードは制限されてよく、ホームピコノードは、所与のアクセス端末について定義されてよく、以下同様である。
【００７３】
ワイヤレス多元接続通信システムは、複数のワイヤレスアクセス端末についての通信を同時にサポートすることができる。前述のように、各端末は、順方向および逆方向リンク上の伝送を介して1つまたは複数の基地局と通信することができる。順方向リンク(またはダウンリンク)は、基地局から端末への通信リンクを指し、逆方向リンク(またはアップリンク)は、端末から基地局への通信リンクを指す。この通信リンクは、単入力単出力システム、MIMOシステム、または何らかの他のタイプのシステムを介して確立されてよい。
【００７４】
本明細書で開示される実施形態に関して説明した様々な例示的論理、論理ブロック、モジュール、構成要素、および回路は、本明細書で説明する機能を実施するように設計された汎用プロセッサ、デジタル信号プロセッサ(DSP)、特定用途向け集積回路(ASIC)、フィールドプログラマブルゲートアレイ(FPGA)、または他のプログラマブル論理デバイス、ディスクリートゲートまたはトランジスタ論理、ディスクリートハードウェア構成要素、あるいはそれらの任意の組合せと共に実装または実施され得る。汎用プロセッサはマイクロプロセッサでよいが、代替実施形態では、プロセッサは、任意の従来型プロセッサ、コントローラ、マイクロコントローラ、または状態機械でよい。プロセッサはまた、コンピューティングデバイスの組合せ、たとえば、DSPとマイクロプロセッサの組合せ、複数のマイクロプロセッサ、1つまたは複数のマイクロプロセッサとDSPコア、または任意の他のそのような構成として実装され得る。さらに、少なくとも1つのプロセッサは、前述のステップおよび/または処置のうちの1つまたは複数を実行するように動作可能な1つまたは複数のモジュールを含み得る。例示的記憶媒体は、プロセッサが記憶媒体から情報を読み取り、記憶媒体に情報を書き込むことができるように、プロセッサに結合され得る。代替実施形態では、記憶媒体はプロセッサと一体でよい。さらに、いくつかの態様では、プロセッサおよび記憶媒体はASIC内に常駐し得る。さらに、ASICはユーザ端末内に常駐し得る。代替実施形態では、プロセッサおよび記憶媒体は、ユーザ端末内の別個の構成要素として常駐し得る。
【００７５】
1つまたは複数の態様では、説明した機能、方法、またはアルゴリズムは、ハードウェア、ソフトウェア、ファームウェア、またはそれらの任意の組合せで実装され得る。ソフトウェアで実装される場合、機能は、コンピュータプログラム製品に組み込まれ得るコンピュータ可読媒体上の1つまたは複数の命令またはコードとして格納および送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされてよい任意の入手可能な媒体でよい。限定ではなく例として、そのようなコンピュータ可読媒体は、RAM、ROM、EEPROM、CD-ROM、または他の光ディスクストレージ、磁気ディスクストレージまたは他の磁気記憶デバイス、あるいは命令またはデータ構造の形の所望のプログラムコードを搬送または格納するために使用されてよく、コンピュータによってアクセスされてよい任意の他の媒体を含むことができる。さらに、ほぼ任意の接続が、コンピュータ可読媒体と呼ばれ得る。たとえば、ソフトウェアが、同軸ケーブル、光ファイバケーブル、撚線対、デジタル加入者線(DSL)、または赤外線、無線、マイクロ波などのワイヤレス技術を使用して、ウェブサイト、サーバ、または他のリモートソースから送信される場合、同軸ケーブル、光ファイバケーブル、撚線対、DSL、または赤外線、無線、マイクロ波などのワイヤレス技術が、媒体の定義内に含まれる。本明細書では、ディスク(disk)およびディスク(disc)は、コンパクトディスク(disc)(CD)、レーザディスク(登録商標) (disc)、光ディスク(disc)、デジタルバーサタイルディスク(disc)(DVD)、フロッピー(登録商標)ディスク(disk)、およびブルーレイディスク(disc)を含み、ディスク(disk)は通常、データを磁気的に再現し、一方、ディスク(disc)は通常、データをレーザで光学的に再現する。上記の組合せもコンピュータ可読媒体の範囲内に含まれるべきである。
【００７６】
上記の開示は例示的態様および/または実施形態を論じるが、本明細書では、添付の特許請求の範囲によって定義される記載の態様および/または実施形態の範囲から逸脱することなく、様々な変更および修正を行えることに留意されたい。さらに、記載の態様および/または実施形態の要素が単数形で説明または特許請求され得るが、単数形への限定が明示的に述べられるのでない限り、複数が企図される。さらに、任意の態様および/または実施形態のすべてまたは一部が、別段に記載されていない限り、任意の他の態様および/または実施形態のすべてまたは一部と共に利用され得る。
【符号の説明】
【００７７】
204、206、208、210  ノード
230、240  ユーザ機器
244  ハンドオーバモジュール
245  ハンドオーバ履歴
246  UE測定値モジュール
248  ハンドオーバ状態モジュール
250  ハンドオーバ管理モジュール
252  UEハンドオーバ履歴
254  UE測定値モジュール
256  UEモビリティ状態判定モジュール
258  ハンドオーバパラメータ修正モジュール
312  データソース
314  TXデータプロセッサ
320  MIMOプロセッサ
330  コントローラ/プロセッサ
332  メモリ
336  データソース
338  TXデータプロセッサ
340  復調器
342  RXデータプロセッサ
360  RXデータプロセッサ
370  コントローラ/プロセッサ
372  メモリ
380  変調器
504  受信モジュール
506  モビリティ状態判定モジュール
508  ハンドオーバパラメータ修正モジュール
510  送信モジュール
604  プロセッサ
606  コンピュータ可読媒体
610  トランシーバ
614  処理システム
804  受信モジュール
806  ハンドオーバ状態判定モジュール
808  ハンドオーバ関連処置管理モジュール
810  ハンドオーバパラメータモジュール
812  送信モジュール
904  プロセッサ
906  コンピュータ可読媒体
910  トランシーバ
914  処理システム
【図１】
0006389233.tif 000002
【図２】
0006389233.tif 000003
【図３】
0006389233.tif 000004
【図４】
0006389233.tif 000005
【図５】
0006389233.tif 000006
【図６】
0006389233.tif 000007
【図７】
0006389233.tif 000008
【図８】
0006389233.tif 000009
【図９】
0006389233.tif 000010